(57)【要約】【課題】本発明は、より今までにない安全性を用い、優れたプレイングをを行うことができ、しかもさらに進化したことを立証できるものである、ユーザーにとっては大きな喜びとなる、新型マルチホビープレイングを提供することを課題とする。【解決手段】請求項１  に係る発明は以下の方法である。新型マルチホビープレイング形態についてマント（飛行推進装置）の資材には従来の飛行推進装置（Ｒ２Ｇ２）は重量約６３キロ、水素燃料タンクを背負い、双発蒸気を推進力に、備え付けのハンドルで高低や前後左右の移動を調節する仕組み、１回の燃料充てんで約４５秒間の飛行を実現、背中のマント（Ｒ１）内層部にて小型集約して収納を行う、その他以外のマント、メット、バッジ、コピーロボット、バードマンＵＦＯ、マニュアル（映画）についての資材と仕組みにおいては、上記請求項１項目を参照。【選択図】図１
2012158316.tif 000002
【特許請求の範囲】
【請求項１】
に係る発明は以下の方法である。
新型マルチホビープレイング形態について
マント（飛行推進装置）の資材には従来の飛行推進装置（Ｒ２Ｇ２）は重量約６３キロ、水素燃料タンクを背負い、双発蒸気を推進力に、備え付けのハンドルで高低や前後左右の移動を調節する仕組み、１回の燃料充てんで約４５秒間の飛行を実現、背中のマント（Ｒ１）内層部にて小型集約して収納を行う。その他以外のマント、メット、バッジ、コピーロボット、バードマンＵＦＯ、マニュアル（映画）についての資材と仕組みにおいては、上記請求項１項目を参照。
【発明の詳細な説明】
【技術分野】
【背景技術】
【０００１】マント（飛行推進装置）については
今までの技術内容として、サンダーボルトエアロシステム社から出ている飛行推進装置（Ｒ２Ｇ２）１回の重点で４５秒間の飛行ができる総重量約６３キロ、水素燃料タンクを背負い、双発蒸気を推進力に、備え付けのハンドルで高低や前後左右の移動を調節する仕組み。
バッジ（無線携帯端末）については
ノートパソコンと比べると機能は限定されているが、手のひらサイズのため持ち歩きしやすく、ソフトウェアの動作も軽快で電池の持続時間も長いなどの特徴がある、電子手帳と似ているが、ＰＤＡはソフトウェアのインストールやカスタマイズが可能で、電子手帳よりも自由な利用が可能。
コピーロボット（からくり人形）については
現在では九代目玉屋庄兵衛が『弓曳き童子』や京都祗園祭の山である『蟷螂山』を復元したり、東野進が『文字書き人形』を、後藤大秀が大垣祭の『相生山』や大津祭の『竜門滝山』を復元する等、数名が各地で活躍する。
コピーロボット（ロボット）については
２００２年２月４日に第一回が開催されたＲＯＢＯ−ＯＮＥ等のロボット競技により、二足歩行ロボット研究が個人レベルにまで浸透。
マスク（メット）については
特になし。
バードマンＵＦＯ（一人乗り飛行装置）については
１９７０年代に開発された一人乗り飛行装置ウイリアムスＸジェット、航空機用の小型ターボエンジンを改造した一人乗り用飛行装置、最高時速１００キロ、約４５分間の飛行が可能。
マニュアル（映画）については
実写版映画ＮＩＮ×ＮＩＮ忍者はっとりくんザムービを参考例に。【０００２】従来の小型飛行装置については
特許文献１がある。この文献は
［課題］燃費を大幅に向上させることができるとともに、安全性をも確保でき、併せて救助活動などへの応用も可能にした小型飛行装置を提供する。
［解決手段］人体の背に着脱自在に取り付けられる装置であって、人体に装着すべきフレーム部と、推進力発生機とを備え、この推進力発生機は、過酸化水素タンク、加圧用ガスタンク、及びサマリウム銀などの触媒と、過酸化水素と触媒との反応によって発生する高圧蒸気で回転する第１及び第２のガスタービンと、第１ガスタービンで駆動されるホバリング用の第１可変ピッチプロペラと、第２ガスタービンで駆動される推進用の第２可変ピッチプロペラと、高圧蒸気の供給量と第１及び第２の可変ピッチプロペラピッチとを制御するための制御部とを備えている。過酸化水素と触媒との反応によって発生する高圧蒸気は、第１及び第２可変ピッチプロペラで推力となるが開示されている。【０００３】または特許文献２には
［課題］携帯無線端末の使用状態によって、アンテナ性能を劣化させることがなく、浸水時においてもアンテナ特性が変動しない携帯無線端末を提供すること。［解決手段］本発明の携帯無線端末は、第１の筐体内に設けられ、無線部とグランドパターンを備える回路基板と、前記無線部と電気的に接続される導電性部材と、第１の軸芯を中心に回動可能に前記第１の筐体と連結する第１のヒンジ部と、第２の筐体内に設けられたアンテナ素子と、前記第１の軸芯と略直交する第２の軸芯を中心に前記第２の筐体と回動可能に連結する導電性ヒンジ部とを備え、前記無線部は、前記導電性部材を介して前記導電性ヒンジ部に電気的に接続され、前記導電性ヒンジ部の一部は、前記アンテナ素子と容量結合可能な範囲で離間し、前記無線部から前記導電性部材を介して給電された前記導電性ヒンジ部の一部が、前記アンテナ素子の一部と容量結合することで、前記回路基板のグランドパターン、前記導電性ヒンジ部、及び前記アンテナ素子がダイポールアンテナを構成する。【０００４】または特許文献３には
［目的］人形本体の傾斜動作に伴って人形脚部が動作を行うからくり人形を得ること。
［構成］人形本体が台座に対して傾斜動作するからくり人形において、第１部材と第２部材を備えるとともにこれら第１及び第２部材が連係している連結機構部を、人形本体と人形脚部との間に配置し、第１部材は、人形本体の傾斜動作に連動して回動する支軸３６ｃに固着されて、該支軸の回動に伴って回動し、第２部材は、人形脚部に固着され、人形本体が傾斜動作すると連結機構部を介して人形脚部が動作を行う構成のからくり人形である。【０００５】または特許文献４には
［課題］人間の足首関節部、膝関節部及び股関節部と類似した動作が可能な２足歩行ロボットを提供する。
［解決手段］一対の足部材と、脚部材と、前記足部材が前記脚部材に対して２軸ジョイントで連結された足首関節部と、前記足部材を前後、左右方向に回動させる一対の第１アクチュエーター，と、大腿部材と、前記脚部材と前記大腿部材との間に１軸ジョイントとして備えられた膝関節部と、前記脚部材を回動させる第２アクチュエーターと、臀部材と、股関節部と、前記大腿部材及び前記臀部材に対して結合されて前記大腿部材を前後、左右方向に回動させる一対の第３アクチュエーターとにより構成されている。
【先行技術文献】
【特許文献】
【特許文献１】特開２００４−２６８６４０
【特許文献２】特開２０１０−２７３３３１
【特許文献３】特開１０−１１８３４４
【特許文献４】特開２００４−２０２６７６
【発明の概要】
【発明が解決しようとする課題】
【０００６】従来の技術とは違い、重量６３キロという重さの水素タンクを背負う着ぐるしさを無くす良さを追求し、思い重圧感のある旧型タイプの装備をつけるというイメージを捨て、安全性の高さをＵＰさせる機能及び生活に支障のないシステムをつけ、今まで以上に質の高いクオリティさを出して子供達に夢を持たせるような、さらなる技術性となり、人々を魅了するパフォーマンスを提供するものになると思われる、本発明は、より今までにない安全性を用い、優れたプレイングを行うことができ、さらに進化したことを立証できるものである、ユーザーにとっては大きな喜びとなる、新型マルチホビープレイングを提供することを課題とする。【０００７】上記目的を達成するためには、早期に『新型マルチホビープレイング』が広く一般に関係し、多く活用されるようになることが重要である。
本発明品では装備品として、マスク、マント、バッチ、コピーロボット、バードマンＵＦＯ、マニュアル（映画）を提供する。
【課題を解決するための手段】上記課程を解決するため、本発明品では、以下の新型マルチホビープレイングを提供する。すなわち
［解決手段］
請求項１  に係る発明は以下の方法である。
新型マルチホビープレイング形態について
マント（飛行推進装置）の資材には従来の飛行推進装置（Ｒ２Ｇ２）は重量約６３キロ、水素燃料タンクを背負い、双発蒸気を推進力に、備え付けのハンドルで高低や前後左右の移動を調節する仕組み、１回の燃料充てんで約４５秒間の飛行を実現、背中のマント（Ｒ１）内層部にて小型集約して収納を行う。その他以外のマント、メット、バッジ、コピーロボット、バードマンＵＦＯ、マニュアル（映画）についての資材と仕組みにおいては、下記参照。
資材においては、ガス（Ｒ１）（Ｋ１）燃料の一部として設ける、油（Ｒ１）（Ｋ１）燃料の一部として設ける、磁石（磁力）（Ｒ１）（Ｋ１）外層部にて設ける、ホバー（原理）（Ｒ１）（Ｋ１）外層部にて設ける、生地羽成分（Ｒ１）材質の一部として設ける、無重力調整装置（Ｒ１）（Ｒ２）内層部にて設ける、セラミック（Ｒ２）（Ｋ１）材質の一部として設ける、ミニエフェクトファン（Ｒ１）外層部にて設ける、電気発生装置（Ｋ１）（Ｒ１）（Ｒ２）（Ｒ３）燃料の一部として設ける、ソーラーエネルギー（Ｒ１）燃料の一部として設ける、プルトニュウム（Ｒ１）（Ｋ１）燃料の一部として設ける、ダイヤモンド（Ｋ１）（Ｒ２）材質の一部として設ける、硬質ボード（Ｒ２）（Ｋ１）材質の一部として設ける、キセノン（Ｒ２）（Ｋ１）（Ｒ１）（Ｒ３）発光要素として設ける、ＨＩＤ（Ｒ２）（Ｋ１）（Ｒ１）（Ｒ３）発光要素として設ける、国語、英語電子辞書（Ｒ２）内層部にて設ける、バルーン（Ｋ１）頭部から足部にて設ける、ねんど（Ｋ１）頭部から足部にて設ける、ゴム（Ｋ１）頭部から足部にて設ける、レアメタル（Ｋ１）（Ｒ２）材質の一部として設ける、アルミ（Ｋ１）（Ｒ２）材質の一部として設ける、糸（Ｋ１）内層部及び外層部にて設ける、プロポ（Ｋ１）付属品にて設ける、小型ＡＩ系列人工知能（Ｋ１）頭部にて設ける、ワイヤー（Ｋ１）内層部と外層部にて設ける、バッテリーバックアップ（Ｋ１）胴体部にて設ける、ＧＰＳ（Ｋ１）内層部から外層部にて設ける、ＨＤＤ（Ｋ１）内層部にて設ける、プラグ（Ｋ１）胴体部に設ける、エアサス（Ｋ１）腕足部に設ける、ショックアブソーバー（Ｋ１）腕足部に設ける、コンピューター（Ｋ１）頭部に設ける、小型拡声器（Ｋ１）顔部にて設ける、高性能義眼（Ｋ１）顔部にて設ける、ホーン（Ｋ１）（Ｒ２）外層部に設ける、グリス（Ｋ１）機器類に使用、こま（Ｋ１）間接部に設ける、プラ（Ｋ１）（Ｒ２）（Ｒ３）材質の一部として設ける、ヒューズ（Ｒ１）（Ｒ２）（Ｒ３）（Ｋ１）内層部に設ける、小型吸引装置（Ｋ１）顔部にて設ける、エアロバス次世代エンジンＡ３２０ＮＥＯ（ＩＨＩ参加型）（Ｋ１）（Ｒ２）内層部に設ける、アンテナ（Ｋ１）頭部に設ける、タイヤ（Ｋ１）外層部に設ける、ファイル共存ソフト（Ｋ１）胴体部に設ける、太陽光発電（Ｋ１）外層部にて設ける、木（Ｋ１）材質の一部として設ける、ナビ（Ｒ１）（Ｋ１）表層部に設ける、スキャナー（Ｋ１）表層部に設ける、光ファイバー（Ｋ１）内層部に設ける、３次元レーダー（Ｋ１）（Ｒ２）表層部にて設ける、Ｘ腺自由電子ビーム（Ｒ２）顔部にて設ける、万能翻訳機（Ｒ２）内層部にて設ける、小型酸素タンク（Ｒ２）外層部にて設ける、発電素子（Ｋ１）内層部にて設ける、ポリ３ヘキシルチオフェン（Ｒ１）（Ｋ１）内層部に設ける、ヘッドホンステレオ（Ｋ１）（Ｒ１）頭部に設ける、ラジオサーバー（Ｋ１）（Ｒ１）頭部に設ける、エクスワード（Ｋ１）（Ｒ１）内層部に設ける、リチウムイオン電池（Ｒ１）（Ｋ１）内層部にて設ける、小型発電機（Ｒ１）（Ｋ１）内層部にて設ける、ねじ（Ｒ１）（Ｒ２）（Ｒ３）（Ｋ１）必要接着に設ける、スピンドル（Ｋ１）（Ｒ１）内層部に設ける、小型圧縮機械（Ｋ１）内層部に設ける、型盤（Ｋ１）変形時開発の型に使用する、油圧機械（Ｋ１）（Ｒ１）内層部にて設ける、マイクロモーター（Ｋ１）胴体部にて設ける、ランタン（Ｋ１）外層部にて設ける、セリウム（Ｋ１）変形開発に使用する、クレーン（Ｋ１）内層部にて設ける、ハイブリット（Ｒ１）（Ｋ１）内層部にて設ける、ＥＶ（Ｒ１）（Ｋ１）内層部にて設ける、宝石（Ｋ１）（Ｒ２）材質の一部として設ける、グラス（Ｋ１）（Ｒ２）（Ｒ１）材質の一部として設ける、遠赤外線（Ｒ１）（Ｋ１）材質の一部として設ける、コーティングリアウォール（Ｒ１）（Ｋ１）外層部にて設ける、廃棄ダクトチャンバー（Ｋ１）外層部にて設ける、廃棄冷却器（Ｋ１）外層部に設ける、バルブ（Ｒ１）（Ｋ１）外層部に設ける、圧縮機（Ｋ１）（Ｒ２）内層部に設ける、ハンギングバー（Ｋ１）内層部に設ける、圧力弁（Ｋ１）（Ｒ１）外層部に設ける、バスケット（Ｋ１）内層部に設ける、ワークサーフェスモジュール（Ｋ１）内層部に設ける、振動監視（Ｋ１）内層部に設ける、アクティブカーボンフィルター（Ｒ１）（Ｋ１）内層部に設ける、エアーフィルター（Ｒ１）（Ｋ１）内層部に設ける、電力盤（Ｒ１）（Ｋ１）表層部に設ける、スチームトラップ（Ｋ１）（Ｒ１）外層部に設ける、フランジ（Ｒ１）（Ｋ１）内層部に設ける、サーモスタット（Ｒ１）（Ｋ１）内層部に設ける、電磁コイル（Ｒ１）（Ｋ１）（Ｒ２）内層部に設ける、ベベルギア（Ｋ１）内層部に設ける、ポンプ（Ｋ１）外層部に設ける、タービン（Ｒ１）（Ｋ１）表層部に設ける、カッター（Ｋ１）糸関係に使用、ハンドル（Ｒ１）（Ｋ１）外層部にて設ける、フォーク（Ｋ１）外層部に設ける、リフト（Ｋ１）外層部に設ける、クランプ（Ｋ１）内層部に設ける、液体窒素（Ｒ１）（Ｋ１）燃料の一部として設ける、ＲＩ（Ｒ１）（Ｋ１）燃料の一部として設ける、燃料電池（Ｒ１）（Ｋ１）燃料の一部として設ける、ニトロ（Ｒ１）（Ｋ１）燃料の一部として設ける、メタル（Ｋ１）（Ｒ２）材質の一部として使用、タワーバー（Ｒ１）（Ｋ１）内層部にて設ける、車高調整（Ｋ１）機器間接部分にて設ける、タイマーメーター（Ｒ２）（Ｋ１）表層部にて設ける、ＡＢＳ（Ｒ１）（Ｋ１）内層部にて設ける、Ｉサイト（Ｒ１）（Ｋ１）内層部にて設ける、オートマ（Ｋ１）（Ｒ１）外層部にて設ける、、カーボン（Ｒ１）（Ｋ１）（Ｒ２）材質の一部として設ける、エアロ（Ｒ１）（Ｋ１）（Ｒ２）外層部にて設ける、ディスク（Ｒ１）（Ｋ１）内層部にて設ける、ドラム（Ｒ１）（Ｋ１）内層部にて設ける、スポイラー（Ｒ１）（Ｋ１）（Ｒ２）外層部にて設ける、パテ（Ｒ１）（Ｋ１）（Ｒ２）（Ｒ３）製造時使用、スプレー（Ｋ１）（Ｒ２）（Ｒ３）製造時使用、やすり（Ｋ１）（Ｒ２）（Ｒ３）製造時使用、コーティング（Ｋ１）（Ｒ２）（Ｒ３）製造時使用、メタンハイドレート（Ｋ１）（Ｒ２）（Ｒ１）燃料の一部として設ける、ユジノタンベイ（Ｋ１）表層部にて設ける、ブレーンマシーンインターフェイス（Ｋ１）頭部にて設ける、ＴＮＰ２７（Ｋ１）（Ｒ２）（Ｒ１）内層部にて設ける、ＯＳ（Ｒ２）（Ｋ１）内層部にて設ける、エコナビ（Ｒ２）（Ｋ１）表層部にて設ける、掃除ロボ（Ｋ１）一部機能集約して設ける、バックモニター（Ｒ２）（Ｋ１）表層部にて設ける、マフラーカッター（Ｒ１）（Ｋ１）外層部にて設ける、メモリーナビ（Ｒ２）（Ｋ１）表層部にて設ける、マイセン（Ｋ１）材質の一部として設ける、ウェーブミュージックシステムサウンドリンク（Ｋ１）（Ｒ２）表層部にて設ける、モバイルワイフィルター（Ｋ１）（Ｒ２）内層部にて設ける、ＢＦ０１Ｂ（Ｋ１）（Ｒ２）内層部にて設ける、ＭＤシステム（Ｋ１）外層部にて設ける、メモリーカード（Ｋ１）外層部にて設ける、半導体メモリー（Ｋ１）内層部にて設ける、ＤＲＡＭ内層部にて設ける、新モーター（Ｒ１）（Ｋ１）内層部にて設ける、アルミ板（Ｋ１）（Ｒ２）材質の一部にて設ける、再生鉛バッテリー（Ｒ１）（Ｋ１）内層部にて設ける、新スチール（Ｒ１）（Ｋ１）（Ｒ２）材質の一部分として設ける、グラスファイバー（Ｒ１）（Ｋ１）（Ｒ２）材質の一部として設ける、コイン（Ｒ１）（Ｋ１）（Ｒ２）材質の一部として設ける、ホヤ製高性能レンズ（Ｋ１）（Ｒ２）顔部にて設ける、超小型補聴器（Ｋ１）（Ｒ２）顔層部にて設ける、一人乗り飛行装置（バードマンＵＦＯにて設ける）、ガソリン（Ｒ１）（Ｋ１）燃料の一部として設ける、軽油（Ｒ１）（Ｋ１）燃料の一部として設ける、重油（Ｒ１）（Ｋ１）燃料の一部として設ける、ボイラー（Ｋ１）外層部にて設ける、危険物（Ｒ１）（Ｋ１）燃料の一部として設ける、ヒートポンプ（Ｒ１）（Ｋ１）外層部にて設ける、カメラ（Ｋ１）（Ｒ２）頭部にて設ける、時計（Ｋ１）（Ｒ２）表層部にて設けるなどが挙げられる。
仕組みにおいては
壊れると点滅し急低速するマント（Ｒ１）表層部にて設ける、参考ロス鳥人飛行（Ｒ１）参考モデルにする、噴出口は様々（Ｒ１）表層部にて設ける、マントスイッチ指紋型（Ｒ１）上腕表層部にて設ける、点滅はゆっくりめ（Ｒ１）スローテンポにて表層部に設ける、重量は１円玉５０枚から少なめくらい（Ｒ１）重量設定、最高時速１１９キロ（Ｒ１）速度設定、メットには無重力調整装置（Ｒ２）内層部にて設ける、スイッチ耳あり（Ｒ２）ダイヤル機能にて顔部に設ける、防御高め（Ｒ２）硬度にして設ける、バッチは万能無線携帯（Ｒ３）最新式にて外層部に設ける、最新小型無線端末か携帯端末か携帯無線か（Ｒ３）外層部にて設ける、コピーロボはバーチャルＣＧ機能有（Ｋ１）眼球にて設ける、双子系（Ｋ１）必要にて設ける、最新型ロボットの必要性（Ｋ１）完成しだい設ける、オートマータの原理（Ｋ１）頭部から足部までにて設ける、着せ替え機能（Ｋ１）頭部から足部までにて設ける、上下切り離し機能（Ｋ１）胴回りにて設ける、サイズ（Ｋ１）変形時に合わせる、パーツ（Ｋ１）変形時に設ける、スケープドール（Ｋ１）変形のモデルにする、アライメント（Ｒ１）（Ｋ１）製造時に設ける、小型系（Ｒ１）（Ｋ１）（Ｒ２）（Ｒ３）資材を設ける、遠心力（Ｒ１）（Ｋ１）製造時に関係機器類に設ける、風力（Ｒ１）（Ｋ１）製造時に関係機器類に設ける、水力（Ｒ１）（Ｋ１）製造時に関係機器類に設ける、火力（Ｒ１）（Ｋ１）製造時に関係機器類に設ける、カセット式（Ｒ１）（Ｋ１）（Ｒ２）表層部に設ける、ＦＤ式（Ｒ１）（Ｋ１）内層部に設ける、新型端末（Ｒ１）（Ｋ１）（Ｒ２）（Ｒ３）開発しだい設ける、動画（Ｋ１）変形のモデル確認に使用、カラー（Ｒ１）（Ｋ１）（Ｒ２）（Ｒ３）製造時に使用、鼻スイッチ（Ｒ４）顔部にて設ける、新型可変シャーシ（Ｋ１）内層部にて設ける、火（Ｒ１）（Ｋ１）燃焼に使用、水（Ｒ１）（Ｋ１）（Ｒ２）冷却に使用、エアー（Ｒ１）（Ｋ１）（Ｒ２）圧縮に使用、氷（Ｒ１）（Ｋ１）（Ｒ２）冷却に使用、人口設備（Ｒ１）（Ｋ１）（Ｒ２）性能向上に各機器に設ける、可燃ガス（Ｒ１）（Ｋ１）燃料の一部として設ける、不燃ガス（Ｒ１）（Ｋ１）燃料の一部として設ける、真空（Ｒ１）（Ｋ１）（Ｒ２）高活性のために機器に設ける、吸収（Ｒ１）（Ｋ１）（Ｒ２）爆発防止のため機器に設ける、蒸気（Ｒ１）（Ｋ１）暴発処理のため機器に設ける、ＮＥＤＯ（Ｒ１）（Ｋ１）（Ｒ２）（Ｒ３）開発向上のため開発費に設ける、ＦＸ（Ｒ１）（Ｋ１）参考モデルにする、Ｆ３５（Ｒ１）（Ｋ１）参考モデルにする、ステルス（Ｒ１）（Ｋ１）参考モデルにする、ＮＤＳ１０００（Ｒ１）（Ｋ１）参考モデルにする、両輪（Ｋ１）外層部にて設ける、弾（Ｋ１）（Ｒ２）（Ｒ３）表層部にて設ける、グリーンニューディール（Ｒ１）（Ｋ１）参考モデルにする、ファルコン９（Ｒ１）（Ｋ１）参考モデルにする、スマートＩＣ（Ｒ１）（Ｋ１）参考モデルにする、ユーロファイター（Ｒ１）（Ｋ１）参考モデルにする、ＦＳＸ（Ｒ１）（Ｋ１）参考モデルにする、スポイ３０（Ｒ１）（Ｋ１）参考モデルにする、ＡＷＡＣＳ（Ｒ１）（Ｋ１）参考モデルにする、空中空輸付き（Ｒ１）（Ｋ１）参考モデルにする、ＰＡＫＦＡ（Ｒ１）（Ｋ１）参考モデルにする、加工技術（Ｋ１）（Ｒ１）（Ｒ２）製造時使用、プロトタイプ（Ｋ１）参考モデル、四駆（Ｋ１）内層部にて設ける、たぬき（Ｋ１）変形のモデルにする、きつね（Ｋ１）変形のモデルにする、ししまい（Ｋ１）変形のモデルにする、高クウオリティージョブ型（Ｋ１）ロボット型式に設ける、新型資材（Ｒ１）（Ｒ２）（Ｒ３）（Ｋ１）必要しだい設ける、既存パーツ全型種類使用（Ｒ１）（Ｒ２）（Ｒ３）（Ｋ１）必要しだい設ける、先端技術タイプ（Ｒ１）（Ｒ４）開発しだい設ける、リニア駆動（Ｒ１）中層部にて設ける（Ｋ１）内層部にて設ける、ブースト（Ｒ１）（Ｋ１）表層部にて設ける、○○加速装置（Ｒ１）（Ｋ１）表層部にて設ける、影絵（Ｋ１）変形のモデルにする、省エネ（Ｒ１）（Ｒ２）（Ｒ３）（Ｋ１）各機器類に設ける、創エネ（Ｒ１）（Ｒ２）（Ｒ３）（Ｋ１）各機器類に設ける、蓄エネ（Ｒ１）（Ｒ２）（Ｒ３）（Ｋ１）各機器類に設ける、バッチ光る（Ｒ３）発光式を設ける、オービス付き（Ｒ３）表層部にて設ける、トラック（Ｒ１）（Ｋ１）参考モデルにする、モノレール（Ｒ１）（Ｋ１）参考モデルにする、ロケット（Ｒ１）（Ｋ１）参考モデルにする、セキュリティ（Ｒ１）（Ｒ２）（Ｒ３）（Ｋ１）外層部に設ける、３Ｄ（Ｋ１）機能を表層部に設ける、甲冑（Ｋ１）参考モデルにする、おもちゃ（Ｒ１）（Ｒ２）（Ｒ３）（Ｋ１）名称の一部に設ける、超電導（Ｒ１）（Ｒ２）（Ｒ３）内層部にて設ける（Ｋ１）の胴回りにて設ける、ＨＴＢ（Ｒ１）（Ｋ１）参考モデルにする、Ｈ２Ｂ（Ｒ１）（Ｋ１）参考モデルにする、ＩＳＳ（Ｒ１）（Ｋ１）（Ｒ２）参考モデルにする、Ｃ９１９（Ｒ１）（Ｋ１）参考モデルにする、ＡＲＪＡ（Ｒ１）（Ｋ１）参考モデルにする、最新型機能（Ｒ１）（Ｒ２）（Ｒ３）（Ｋ１）開発しだい設けられる、インホイールモーター（Ｋ１）（Ｒ１）内層部にて設ける、衛星（Ｒ１）（Ｋ１）参考モデルにする、アポロ１１号（Ｒ１）（Ｋ１）参考モデルにする、新型ＰＳＰ（Ｒ２）（Ｋ１）頭部にて設ける、新型ＤＳ（Ｒ２）（Ｋ１）頭部にて設ける、新型モバイルタブレット（Ｒ２）（Ｋ１）頭部にて設ける、新型新端末新タブレット（Ｒ２）（Ｋ１）頭部にて設ける、（バードマンＵＦＯ、パラシュート、映画、スタッフ、演出者、監督、歌手、声優、）などが挙げられる。
※上記に記載されているバードマンＵＦＯについて
表記されている中の機材をいくつか使うことにより開発を行う。
※一部設計を改造して行うこともある。
【発明の効果】
【０００８】今までの技術については、過負担がかかる重量であったが、新型マルチホビープレイングは身体への過負担を限りなくなくし、さらに安全性を高め、よりよい生活を送るという、今までよりもよりいっそうの性能向上と呼べるものになる新型マルチホビープレイングが提供される。
【図面の簡単な説明】
【０００９】
【図１】
【発明を実施するための形態】
【００１０】（Ａ）マント（飛行推進装置）について以下の方法が挙げられる
＜１＞新型飛行推進装置（Ｒ２Ｇ２）
今までの技術内容として、サンダーボルトエアロシステム社から出ている飛行推進装置（Ｒ２Ｇ２）は総重量約６３キロ、水素燃料タンクを背負い、双発蒸気を推進力に、備え付けのハンドルで高低や前後左右の移動を調節する仕組み、１回の燃料充てんで約４５秒間の飛行を実現、（Ｒ１）背中のマント内層部にて小型集約して収納を行う。
（Ｂ）次に、別機種のマント（飛行推進装置）を併用する方法も有力である。かかる飛行推進装置としては以下の方法が挙げられる。
＜１＞小型飛行装置
燃費を大幅に向上させることができるとともに、安全性をも確保でき、併せて救助活動などへの応用も可能にした小型飛行装置を提供する、
人体の背に着脱自在に取り付けられる装置であって、人体に装着すべきフレーム部と、推進力発生機とを備え、この推進力発生機は、過酸化水素タンク、加圧用ガスタンク、及びサマリウム銀などの触媒と、過酸化水素と触媒との反応によって発生する高圧蒸気で回転する第１及び第２のガスタービンと、第１ガスタービンで駆動されるホバリング用の第１可変ピッチプロペラと、第２ガスタービンで駆動される推進用の第２可変ピッチプロペラと、高圧蒸気の供給量と第１及び第２の可変ピッチプロペラピッチとを制御するための制御部とを備えている、過酸化水素と触媒との反応によって発生する高圧蒸気は、第１及び第２可変ピッチプロペラで推力となる。
＜２＞飛行装置１
操縦者が装着して操作し、実際に目的地に移動することができる飛行装置を提供する、
操縦者が装着して飛行し得る飛行装置であって、操縦者を搬送しうる推力を発生する推進装置部を有し、着陸装置を介することなく発進又は着陸しうるように構成されたことを特徴とする飛行装置を提供する。
＜３＞飛行装置２
荷重に装着可能及び固定可能な飛行装置であって、荷重がパイロット（Ｐ）若しくは遠隔操作可能な制御装置であり、荷重に取付け可能な支持装置、ピストン機関の備えられた駆動装置を有しており、駆動装置が回転する駆動軸を介して直接に、空気流を形成するプロペラコンプレッサーのプロペラに連結されており、少なくとも２つの推力管を有しており、推力管が荷重若しくはパイロットの側方に空気出口端部を配置された出口ノズル内に開口しており、出口ノズルが流出する空気流の方向を変えるために調節可能である、プロペラコンプレッサーがコンプレッサー吸い込みロートを有しており、コンプレッサー吸い込みロートが通常の飛行状態でほぼ水平な位置にパイロット若しくは荷重の上側に配置されている、プロペラコンプレッサーの駆動のための回転する駆動軸がほぼ垂直に位置しており、出口ノズルがほぼ垂直な重心軸線を含む１つの面内に配置されている。プロペラコンプレッサーのプロペラによって形成された空気流が推力管全体を通って亜音速で流出するようになっている。
＜４＞推進装置
操縦者に固定可能な筐体、少なくとも一対のファンおよび筐体に取り付けられてファンを駆動する少なくとも１つのエンジンを備え、一方のファンは筐体の片側に取り付けられ、他方のファンは筐体の他方の側に取り付けられ、使用に際して、両方のファンが同じ方向に回転して推進力を発生させる、個人飛行装置。
（Ｃ）コピーロボット（からくり人形）にりいて以下の方法が挙げられる。
＜１＞からくり人形１
人形本体の傾斜動作に伴って人形脚部が動作を行うからくり人形を得ること、
人形本体が台座に対して傾斜動作するからくり人形において、第１部材と第２部材を備えるとともにこれら第１及び第２部材が連係している連結機構部を、人形本体と人形脚部との間に配置し、第１部材は、人形本体１の傾斜動作に連動して回動する支軸３６ｃに固着されて、該支軸の回動に伴って回動し、第２部材は、人形脚部に固着され、人形本体が傾斜動作すると連結機構部を介して人形脚部が動作を行う構成のからくり人形である。
＜２＞からくり人形２
腕部の複合的な腕振り動作と上体の多方向への傾斜運動とにより、実際の人間による演奏動作に近いからくり動作が可能なからくり人形を提供すること、
腕部の腕振り動作により楽器演奏を行うからくり人形において、前記腕部が、所定の方向に揺動又は回転運動する第１動作腕部と、前記第１動作腕部とは別の方向に揺動又は回転運動する第２動作腕部とを備えて構成され、前記第１動作腕部及び第２動作腕部の各基端は、前記腕部の先端側で連係して設けられ、前記第１動作腕部及び第２動作腕部のそれぞれの動作によって前記腕部の動作が形成されるからくり人形である、更に、人形本体を多重揺架により多方向に揺動可能に支持し、人形本体を該揺架の支持方向に順次、傾斜運動させる構成である。
＜３＞カラクリ人形の動作機構
弾性部材を不要とした簡素な構成により、脚部の屈曲動作が可能な人形を起立および座り込み動作させること、
任意形状の立体物と、この立体物内に収納された人形駆動機構と、この駆動機構に支持アームを介して取付けられた人形とから構成され、前記駆動機構により前記人形が上下移動して該人形の脚部が屈曲するからくり人形の動作機構において、前記脚部は３屈曲支点を備えるととともに、その中間屈曲支点を、脚伸展時における他の屈曲支点を結ぶ一直線に対し、前記立体物とは反対側に位置させた。
（Ｄ）次に、別機種のコピーロボット（からくり人形）を併用する方法も有力である。かかるロボットとしては以下の方法が挙げられる。
＜１＞２足歩行ロボット１
運動解析が容易になるとともに、複合座標系の初期化により全運動系の制御がより良好に実現される、基体は、第１関節部、第１リンク、第２関節部、第２リンク、第３関節部を介して足部に結合されている、第１リンクの剛性は基体の剛性より低く、第２リンクの剛性は第２リンクの剛性より低い、このような剛性の高低関係により、基体に設定される機械的原点に対する第２リンクと足部の高精度の位置決めが可能となる、取手が基体に２点で結合されている、機械的原点を基準として全体姿勢が初期化されるとき、ロボットの全体の重心Ｇは、その２点を含む２鉛直面間に存在する、期化時には、第１関節部、第２関節部、第３関節部がその２鉛直面間にあり、全体のバランスが取られるので、原点あわせが容易である。
＜２＞２足歩行ロボット２
従来の各足平行２輪付き２足歩行ロボットでは、階段を円滑に昇降することが主体で、平坦面での高速走行、円滑な操向を行うことができなかった、
本体から側方に延びる第１側脚をモータで軸を中心に回転可能とし、第１側脚から下方に延びる第１主脚をモータで軸を中心に回転可能とし、第１主脚をモータで回転するボールねじ機構で第１主脚を伸縮自在とし、上下動する第１可動脚の下部にモータで軸を中心に回転する第１補助脚を設け、第１補助脚の下部に自由回転可能でブレーキを備えた第１回転ジョイントを設け、その下の第１車輪フレーム間に軸力センサを設け、第１車輪フレームにはモータで駆動する第１側車輪と、モータで駆動する第２足車輪を設けて第１脚を構成し、同構成の第２脚とにより全体として走行及び歩行を行う。
＜３＞２足歩行ロボットの体幹姿勢を精度よく制御する方法
ロボットに指令する目標体幹姿勢ベクトルと実際の体幹姿勢ベクトルとが一致する２足歩行ロボットを提供する、
まず、ずれベクトルを一旦測定する。それ以降は、目標体幹姿勢ベクトルを「ずれベクトル」で補正し、補正された目標体幹姿勢ベクトルによって関節角を計算する。目標体幹姿勢ベクトルを「ずれベクトル」で補正してロボットを制御すると、ロボットは「ずれベクトル」で補正された目標体幹姿勢ベクトルを目標ベクトルにして姿勢を変えるが、このときに、ロボットは「ずれベクトル」で補正された目標体幹姿勢ベクトルから「ずれベクトル」分だけずれることから、結局、ロボットの体幹姿勢は、ずれベクトルで補正する前の目標体幹姿勢ベクトルに一致する、本方法によると、ロボットの実際の体幹姿勢をオペレータが意図した体幹姿勢に近づけることができる。
＜４＞回転２足歩行ロボット
高級な部品、及び高度な制御技術を使わずに安価な２足歩行を実現する、
ベースの下に、平行リンク機構で構成し、リンクを駆動できる足を２本、同じ平面で動くよう取り付け、地面側のリンクに対し回転軸を地面側のリンクと垂直でかつ、先の平面内にあるように回転する円盤を取り付けた脚機構において、歩行する場合は、平行リンク機構の足を２本とも左に傾け、重心を左に移し、重心と反対側の足を右に移動して浮かし、重心側の左足を回転し、ある量回転したら、重心と反対側の足を左に移動し地面に着地させる、次に平行リンク機構の足を２本とも右に傾け、重心を右に移し、重心と反対側の足を左に移動し浮かし、重心側の右足を回転し、ある量回転したら、重心と反対の足を右に移動し地面に着地させる。以上を繰り返し歩行移動する。
（Ｅ）バッジ（無線携帯）について以下の方法が挙げられる。
＜１＞携帯無線端末１
携帯無線端末の使用状態によって、アンテナ性能を劣化させることがなく、浸水時においてもアンテナ特性が変動しない携帯無線端末を提供すること、
本発明の携帯無線端末は、第１の筐体内に設けられ、無線部とグランドパターンを備える回路基板と、前記無線部と電気的に接続される導電性部材と、第１の軸芯を中心に回動可能に前記第１の筐体と連結する第１のヒンジ部と、第２の筐体内に設けられたアンテナ素子と、前記第１の軸芯と略直交する第２の軸芯を中心に前記第２の筐体と回動可能に連結する導電性ヒンジ部とを備え、前記無線部は、前記導電性部材を介して前記導電性ヒンジ部に電気的に接続され、前記導電性ヒンジ部の一部は、前記アンテナ素子と容量結合可能な範囲で離間し、前記無線部から前記導電性部材を介して給電された前記導電性ヒンジ部の一部が、前記アンテナ素子の一部と容量結合することで、前記回路基板のグランドパターン、前記導電性ヒンジ部、及び前記アンテナ素子がダイポールアンテナを構成する。
＜２＞携帯無線端末２
アンテナ設計や端末形状設計に制約を与えず、コストアップや消費電力アップを抑えつつ、無線送信波がＧＰＳ機能等に及ぼす悪影響を低減可能とする、
携帯電話端末は、携帯電話通信用の通信回路及びアンテナと、ＧＰＳ受信用のＧＰＳ制御部及びアンテナと、ＧＰＳ帯域を除去するＧＰＳ帯域除去フィルタと、バイパススイッチと、制御部とを有する、バイパススイッチは、通信回路とアンテナとの間に設けられ、それら通信回路とアンテナの間を接続するスルー経路と、通信回路とアンテナとの間にＧＰＳ帯域除去フィルタを挿入接続するフィルタ経路の何れか一方を選択的に切り換える。制御部は、通信回路による無線送信実行中に、ＧＰＳ受信が行われる時に限り、バイパススイッチをフィルタ経路側に切換制御する。
＜３＞携帯無線端末３
ＨＤＤ、アンテナ等の配置に関して、高周波ノイズの影響を受けにくい配置構造を備える携帯無線端末を提供する、
携帯無線端末の下筐体の内部には、上部にアンテナ、下部にＨＤＤが配置され、その間に電池パックが配置される。また、アンテナの近傍に無線ユニットを電池パックに重ねるように配置する。これにより、ＨＤＤが発生する高周波ノイズが電池パックによりシールドされて、アンテナへの影響を低減することができる。また、アンテナの近傍に無線ユニットを配置することにより、無線性能を向上することができる。無線ユニットと電池パックの厚さは、ＨＤＤに比べると薄いため、無線ユニットと電池パックを重ねるように配置することにより、携帯無線端末の寸法を大きくすることなく、上記高周波ノイズと無線性能を確保することができる。
（Ｆ）マスク（メット）について以下の方法が挙げられる。
＜１＞高性能型マスク
正体を隠すほか腕力強度がダイヤモンド級になり、物体を支える力がつよくなる、重力調整装置使用、耳の中央にあるダイヤルを回すと万能翻訳機になる、電子翻訳機を使用、また透視能力も備えている、Ｘ線自由電子ビーム使用。
１、エネルギーを用いた駆動を実施できる
ガス、油、磁石（磁力）、ソーラーエネルギー、プルトニュウム、発電素子、ポリ３ヘキシルチオフェン、リチウムイオン電池、セリウム、液体窒素、ＲＩ、燃料電池、ニトロ、ガソリン、軽油、重油、危険物を使用して
２、機器を用いた駆動を実施できる
無重力調整装置、電気発生装置、小型吸引装置、太陽光発電、万能翻訳機、小型発電機、小型圧縮機械、油圧機械、遠赤外線、廃棄冷却器、圧縮機、振動監視、電力盤、掃除ロボ、エアロバス次世代エンジンをＡ３２０ＮＥＯ（ＩＨＩ参加型）クレーン、ハイブリット、ＥＶ、一人乗り飛行装置、ボイラー、ヒートポンプ、超電導を使用して
３、器具を用いた駆動を実施できる
上記請求項１項目を参照。
４、仕組みについては
上記請求項１項目を参照。
５、マニュアルにつては
上記請求項１項目を参照。
【図１】
2012158316.tif 000003
【図２】
2012158316.tif 000004
【手続補正書】
【提出日】平成23年3月17日(2011.3.17)
【手続補正２】
【補正対象書類名】明細書
【補正対象項目名】０００９
【補正方法】変更
【補正の内容】
【０００９】
【図１】マスク  正体を隠す目的のほか、被ることで体内に物質が生成され、骨の強度がダイヤモンド級になになる。耳の中央にあるダイヤルを回すと万能翻訳機になり、レンズを通して見た文章は全部本人の母語に置き換えて読むことが出来る。また透視能力も備えている。ただし肉体が強化されるとはいえ不死身になるというほどではなく、銃などで撃たれると大怪我につながるらしい。高性能な反面非常にデリケートで、蜘蛛の糸が精密部に触れるだけで被っている本人に様々な影響が及ぶ（アニメ）。  マント  特殊繊維、装着すると、重力を任意の方向にねじ曲げることで浮力と推進力が得られ、空中を自由に飛ぶことができる。最高時速９１ｋｍ（新作では１１９ｋｍ）で飛行可能。留め金は肌に触れても留められる。かなり静かな音となる。ちなみに、逆に着けると、本体に引力が働き、弾みで地中に潜ってしまう。  バッジ  仲間同士の連絡を取るためのトランシーバーとしての機能（通信中は黒目がクルクル回る）がメインだが、酸素が内蔵タンクに畜えられ、縦棒の部分を口に咥えることで水中や地中、宇宙でも呼吸ができるようになっている。また簡易レーダー（他の仲間に近づくとアラーム音が大きくなる）機能も持つ。非常に頑丈で、心臓にぶち当てた銃弾を跳ね返したこと  もある。
【図２】コピーロボット  活動する間、留守のアリバイとして身代わりに使うロボット。通称：コピー。旧作では、普段は黒い鼻しか付いていないのっぺらぼうの白っぽい（幾つかのカラーバリエーションがある）人形（新作では鼻の色に違いはない）だが、その鼻を押すことで押した人間や動物そっくりのコピーになり、記憶も引き継がれる。コピーするときに本人が持っていたものもコピーできる。セットをコピーした場合、旧作ではその能力もコピーされる代わりに元のセットの能力は大幅ダウンしてしまうが、新作では機能は受け継がれない。またコピーロボットの記憶は、元に戻る前に本人とおでこをくっつけることで本人に引き継ぐことが可能。２作目のアニメでは赤色で表示。新原作では色の区別を付けなくなったため、３作目のアニメでは色の区別がなくなった。旧作では主人公と同じくらいのサイズだったが、新作では小脇に抱えられるほどまで小型化された。ロボットはそれぞれ自我を持っており、時折主人に逆らうこともある。主人以外に変身しても基本的な個性は保たれたままで、自分はあくまでも誰かのコピーとして、自分の主人が誰であるかが認識出来ているようであるが、時折自分がコピーだという認識を忘れていることがある。もう一度鼻を押すと元に戻ってしまう上、鼻がスイッチになっているだけに、たびたびアクシデントで鼻が押され、人形に戻ってしまったり全くの他人になってしまったりしてトラブルの種になる。それらの問題を解消するためのロック機能や、二度押しで別の者に変わることのできる道具が支給されている。
【手続補正書】
【提出日】平成23年3月17日(2011.3.17)
【手続補正１】
【補正対象書類名】明細書
【補正対象項目名】０００７
【補正方法】変更
【補正の内容】
【０００７】（解決手段）（請求項１）塩ビ管、エルボ、チーズ、ニップル、プラグ、ブッシング、ユニオン、自転車系マウンテンバイク、宝石系、ピアノ系、電車系、ハヤブサ、テレビ系、ポット、飛行機系、ドリフトテクニック、リフテイングターンテクニック、瓦系、サーバー系、サイト系、背面放熱パイプ、自動製氷機能、ノンフロン、蔵のある家、ルンバ系、エクスペリア、メディアス、ＰＣ系、プリンタ系、分析機系、ひな人形、５月人形、アニメーション系、オーディオ系、銃系、対空砲系、ディーゼル電気モーター、クローン系、培養、バカラ系、ドライバー系、補聴器系、録音機系、はにわ、オーシャンビュー系、まんが系、建築士系、クリーナー系、ルーペ系、船系、リニア系、バス系、鍵系、コーヒーメーカー系、ベルニナエクスプレス、冷却気系熱ヒーター、日本武芸子伝、バイク系、オデッセイ系、携帯キーボード、カメラ系、つみき、ミシン系、ホームベーカリー系、アンテナ地デジ系、ＣＤ系、システム系、デルコンピューター、低周波、バイブレーション系、エアコン系、ＨＤＤ系、グロス、ヘクリーム、ヘーベルハウス、印、浄水器、ネックレス、トイレ、化粧品、水、ブレスレット、クレーン、サイバーダイン、衛星、基地、タンク、磁気、アンチウイルス、コラーゲン、アスタリスタ、チャームドロップ、コロカリアＡＡ、アクアコラーゲン、ケコスメ、ライスフォース、ＮＥ−１Ｃ、恐竜の骨、タイヤ系、パン、マンション系、スマートフォン系、帽子系、パリコレ、かぶと、ロボットスーツ、テイジングケア、ＩＳＳ系、ディスカバリー系、Ｆａｓ作動アポトーシス調整ペプチド、アレーアンテナ、インクジェットプリンタ、電子写真用現像装置、電動三輪運搬車、裁断制御方法、塗装ロボットの制御装置、シリコンウェーハに酸素イオンを注入する方法および装置、インターネットオークションの出品商品と出品者の信用問題、売買代金回収問題を解決するインターネットオークション、スカベンジャー化合物、マニュピレータの間接用軸受、広告システム及び方法、磁石取り付け外し用具、改札機、需要予測方法および装置、運転支援装置、多次元分析の分析情報作成方法およびシステム、分散型システムにおける依存性管理の方法及び装置、車載カメラおよび画像処理システム、タイミング解析を実行する方法、自動追尾式飼犬先導者、部分的に順序付けられたデータの表示を構築する方法及び装置、画像処理の装置及び方法、ピアツーピアネットワーク上の複数の受信者へのデータ配信の負担分散、トランザクションを用いるシーケンシャルフレームワークの並行化、高精度及び高効率を有するディジタルフィルタ、改札機における券の不正ふき取り防止装置、歩行訓練用等の案内装置、脳内皮細胞発言パターン、Ｌ−アミノ酸の製造方法、多葉花茎形質及び蕾出荷形質を有するガーベラ、皮膚外用剤および美白剤、環境ホルモンで汚染された土壌又は水の浄化方法及びシステム、汚泥浄化方法、製紙用化学パルプ中の不飽和ウロン酸の除去方法、内燃機関のポジティブクランクケースベンチレーションシステム、組成物を調製することを目的とするバウヒニアの水性または水性アルコールエキスの使用、皮膚外用剤、むくみ改善剤、養毛料、遠隔監視システム、遠隔監視方法、コンピュータ・プログラム、記録媒体、符号化装置および符号化方法、シャワーヘッド、低プロフィル組立可能なコンベアオーブン、プラズマリアクター用の改良型固定フォーカスリング、均一なガス流パターンのための排気バッフル、スクロール装置、メラニン生成抑制物質、組換えアデノウイルスワクチン、遺伝子改変キク、胃腸炎の治療用組成物、イオンチャネルのリガンドとしてのアミド誘導体ならびにそれを使用する薬学的組成物および方法、クロピドグレルおよびスルホアルキルエーテルシクロデキストリンを含有する製剤ならびに使用方法、２−シアノフェニル縮合複素環式化合物および組成物、ならびにその使用、ピリド−２−イル縮合複素環式化合物ならびにその組成物および使用、商品在庫および棚在庫を管理するための多指向性のＲＦＩＤ読取器、転写因子、塩基性タンパク質タグに融合したプロセシング酵素、便器の悪臭吸引装置、木質部および細胞壁の遺伝子マイクロアレイ、三環式オピオイドモジュレーター、プレナムケーブルーエージング特性に優れた難燃層／部品、リファキシミンを含む胃抵抗性薬剤組成物、三環式δ−オピオイド調節剤、Ｂ型リンパ球様造血増殖に対する細胞傷害性抗体、植物抽出物およびその皮膚科使用法、腫瘍の治療、イオンチャネルリガンドとしてのビシクロヘテロアリールアミン化合物、およびこれらを使用する方法、三環式デルタオピオイド調節剤、微粒子およびその他の物質を調製するためのシステム、脳内皮細胞発現パターン、フラビウイルス科ウイルス感染治療のためのビシクロ［４．２．１］ノナン系を有する化合物、細菌感染症の治療に有用な薬草及び薬草の組み合わせ、アミノテトラリン−誘動尿素のバニロイドＶＲ１受容体調節剤、抹消神経・血管疾患の治療方法、放射線障害の予防、軽減、及び治療用の栄養性サプリメント及びその方法、ワクチンの成分、カプサイシン受容体リガンド、電池、高性能データケーブルおよびＵＬ９１０プレナム非フッ素系防食層高性能データケーブル、化学薬品を貯蔵および輸送するための多層装置、有効成分の吸収促進に活性を示す化合物を含む薬剤組成物、スクラロースの甘さ供給特性を改善する方法、空気清浄器システムの指示器装置及びその方法、改善されたガラス質シリカの製造方法、免疫賦活剤とその製造方法、野生リンゴ果実ポリフェノールおよびその製造方法、無機絶縁部を有する微細加工リレー、胃腸運動を刺激するための組成物及び方法、機能的健康状態を改善するための成長ホルモン分泌促進物質の使用、食欲を刺激するかまたは増進させるための成長ホルモン分泌促進物質の使用、身体運動と組み合わせた成長ホルモン分泌促進薬の使用、身体機能低下の治療のための成長ホルモン分泌促進物質の使用、全身性エリテマトーデスおよび炎症性腸疾患を治療するための成長ホルモン分泌促進物質の使用、胃腸運動を刺激するための組成物及び方法、糖衣層からのステロイド類の調節放出、成長ホルモンの放出を促進するスピロピペリジン及び同族体、大環状グレリン受容体修飾因子およびその使用方法、細胞結合分子を有するジソラゾールのコンジュゲート及びそれらの誘導体、新規ジソラゾール誘導体、それらの製法ならびに使用、線維症及び組織における他の形の病理学的沈着を予防及び���去することができるＧＨＲＰ−６を含む薬剤組成物、アデノウイルスベクターに基づくマラリアワクチン、成長ホルモン分泌促進物質、グレリン受容体の大環状モジュレーターの使用方法、成長ホルモン分泌促進薬と抗うつ薬との組合わせ、成長ホルモン分泌促進物質としての新規なアミド誘導体、成長ホルモン分泌促進剤による独立生活状況への復帰促進、新規なアミド誘導体、成長ホルモン分泌促進薬による睡眠の強化、成長ホルモン分泌促進剤の多形形態、４−複素環式ピペリジンは成長ホルモンの放出を促進する、成長ホルモン放出促進性のピペリジン、ピロリジンおよびヘキサヒドロ−１Ｈ−アゼピン類、インドリル基含有化合物類および成長ホルモン放出を促進するためのそれらの使用、成長ホルモン放出促進性のベンゾ縮合大環状化合物、成長ホルモンの放出を促進するベンゾ−縮合ラクタム、皮膚外用剤、疾患の治療におけるヒアルロナン合成および分解の調節法、指支持構造、遊技機、弓矢回収装置、メタンハイドレート採取収拾装置、スロットマシン、からくり人形、リズム感応式からくり人形、からくり時計、からくり地球儀時計、音楽再生制御と各種スイッチ制御装置、カラクリ人形の動作機構、からくり玩具、羽ばたき飛行装置、無線通信装置及び無線通信制御方法、被牽引型飛行装置、羽ばたき翼の駆動機構の制御方法及び装置、低圧の空隙を含む軽量な材料、ラム翼形状支持装置及び前記ラム翼形状支持装置を使用したラム翼及び前記ラム翼を使用した飛行装置及び発電装置、ラム翼の制御装置、フットランチ方式の飛行装置、携帯電話中継装置、飛行装置、磁気推進飛行装置、小型飛行装置、二重反転翼のピッチ角可変機構およびそれを備えた二重反転翼を有する飛行装置、飛行装置の姿勢位置制御システムおよび姿勢位置制御装置、真空嚢、駆動装置および羽ばたき飛行装置、放線菌採取方法および放線菌採取装置、多段式宇宙飛行・輸送用装置及びこの装置による水平離陸の方法、基準点指示装置及び基準点指示飛行装置、再使用可能なフライバック衛星システム、再使用可能なフライバックビークル、ならびに再使用可能なフライバック衛星を使用する地球軌道宇宙輸送および帰還方法、推進装置及び推進装置を備えた飛行装置、宇宙船係留設備、はばたき飛行装置および飛行推力発生装置、点検作業ロボット、回転翼航空機の自動飛行装置、電磁加速装置および平坦コイル電磁加速装置、万有斥力飛行装置、飛翔体の管制装置、極超音速エンジン用推進ノズル、簡易動力飛行装置、人力羽ばたき滑空機、飛行機内部の監視装置、エアバッグタイプの安全装置、流体中の物体の流れデータ測定用センサ構造およびセンサ配列、近接／編隊内位置決め衝突回避システムおよび方法、固定翼の飛行装置用の調整可能な気圧翼、３次元物体の再生方法、並びにその装置、及び再生物、空中飛行装置、反重力エンジン、反重力装置、２段階反重力装置で光速までの速さが考えられる装置、動力発生装置、酸素濃縮装置、空気分離装置、オゾン水製造装置、水中機器用液化ガスタンク、潜水装置、酸素供給機能を有する車両用空気浄化装置、電子クーポン表示システム、無線携帯端末装置、スマートキーシステム、無線携帯マルチメディアプレーヤーおよびその方法、自動リーディングシステムおよび���法、携帯端末保護装置及び携帯端末保護システム、端末認証システム、携帯無線装置、携帯端末交換システム、携帯端末交換方法及び携帯電話番号登録方法、携帯電話システム、携帯電話端末、個人情報保護方法、個人情報保護プログラムおよびプログラム記録媒体、無線携帯端末、通信状況予測方法およびプログラム、無線受信装置、無線通信装置及び無線携帯端末機器、通信システムおよび無線携帯端末、無線携帯装置および無線携帯装置の製造方法、無線携帯端末、並びに、それを用いた撮像方法および通信方法、ソフトウェア無線携帯電話通信システム及びソフトウェア無線携帯電話端末、携帯無線機、無線携帯端末装置のアプリケーションのロック方法及び無線携帯端末装置、及びネットワークシステム、携帯通信ユーザーの基地局測定減少の方法、無線携帯端末装置用充電機構、無線ＬＡＮ対応携帯電話の無線ＬＡＮ設定を支援する宅内通信機器、無線携帯端末の通信制御情報設定システム、Ｘ線透視装置、放射線治療装置および放射線透視装置、放射線画像処理装置、画像処理方法、Ｘ線透視装置及びその制御方法、Ｘ線透視装置、動画処理方法、プログラム及び記憶媒体、Ｘ線透視による３次元観測方法およびＸ線透視装置、Ｘ線透視装置、血管Ｘ線透視装置用マーカー、Ｘ線透視における病変位置確認方法、遠隔Ｘ線透視装置および方法、Ｘ線透視装置、インラインＸ線透視装置、Ｘ線ＣＴ装置およびＸ線ＣＴ透視装置、物体透視装置、Ｘ線ステレオ透視装置及びそれを用いたステレオ観察方法、Ｘ線透視システム、エックス線透視撮像装置、精密計測用Ｘ線透視装置、Ｘ線透視検査装置、ウエハ検査用Ｘ線透視装置、Ｘ線透視装置及び方法、Ｘ線撮影透視装置、及びその制御方法、並びにプログラム、記憶媒体、カメラ傾動機構付きＸ線透視装置、Ｘ線ＣＴ・透視装置、翻訳機能付きカメラ、及びテキストの表示方法、機械翻訳システム、電話装置および通話翻訳方法、音声翻訳装置及びその方法、翻訳機能付き携帯電話装置、音声データ翻訳方法、音声データ翻訳プログラムおよびプログラム記録媒体、翻訳支援装置、翻訳支援システム及び翻訳支援プログラム、翻訳システム、翻訳装置、翻訳方法及びプログラム、翻訳装置及びプログラム、自動翻訳機、翻訳装置、プログラム及び記憶媒体、翻訳依頼方法、翻訳依頼端末およびプログラム、携帯電話に音声付翻訳機能を通信ネットワークの常時接続に依存せずに携帯電話に追加するサイト及びプログラム、文書や書籍の記載内容の二重認識方法と、そのための文書又は書籍と二次元コード情報再生装置、翻訳支援機能提供装置、翻訳支援機能提供方法、翻訳支援機能提供システム、翻訳支援システム及びプログラム、機械翻訳装置、機械翻訳方法及び機械翻訳プログラム、機械翻訳の品質を評価するための方法および装置、マルチメディア翻訳機、端末間翻訳システム、マルチメディア翻訳機の制御方法、制御プログラム、および該プログラムを記録した記録媒体、通信機能を利用した翻訳機器及び翻訳システム、翻訳モジュールおよびこれを用いた音声翻訳装置、翻訳訳語決定システム、翻訳訳語決定サーバ、翻訳訳語決定方法およびプログラム、転移ベースの機械翻訳システムで使用される転移辞書を開発するための方法および装置、対訳辞書作成装���、翻訳装置、対訳辞書作成プログラム、および翻訳プログラム、統計的機械翻訳機における翻訳モデルの生成方法、翻訳サービスを提供するサーバー、及び同サーバーに利用されるプログラム記憶媒体、並びに同サーバーを利用した翻訳システム、多言語翻訳システムのデータ管理方法、この方法のプログラム、及びこのプログラムを記録した記録媒体、電子辞書装置、翻訳機能付きオペレーティングシステムおよびそれを搭載したシステム、語学研修用ロボット、翻訳送信システム、オンライン翻訳システム、簡易レーダーシステム、ＩＤタグを利用した簡易レーダーシステム、簡易レーダー装置、遊技機、コンピュータプログラムおよび記録媒体、画像記憶再生装置及び画像記憶移動方法、フェージングデータ発生器及びそれを用いたフェージングデータ処理装置、実験データを効率的に収集して記憶するための方法及びシステム、アラーム装置、プログラム、及びアラーム出力方法、ドア用警報器、釣用アラーム機能付水温計、アラーム音発生装置、アラーム音発生方法、アラーム音発生プログラム、及び携帯端末装置、アラーム認識装置、アラーム装置、およびプログラム、ＩＴＯ層を有する生体物質固定化用担体、遺伝子の検出方法、微粒子配置方法，微粒子が配置されたデバイス、及び、微粒子が配置されたデバイスの作成装置、ＤＮＡ断片の製造方法、微粒子配置方法，微粒子が配置されたデバイス、及び、微粒子が配置されたデバイスの作成装置、ＤＮＡ断片の製造方法、新規亜リン酸エステルの酸化方法、電気泳動によるデオキシリボ核酸特定部位の１塩基変異検出法、免疫誘導能増強方法、ヌクレオシド誘導体、色素増感型バイオセンサ用ブロッキング剤、Ｃｒｋアダプター分子の発現阻害による癌細胞の転移、浸潤阻害剤、生体組織切片を用いるテロメラーゼ活性の測定方法、プローブ固定担体およびその製造方法、プローブ及びプライマーおよびこれらを用いた核酸断片相補鎖合成法、ゲノムライブラリー作製方法、および同方法により作製され2012158316.tif 000005
ルタミン酸の製造法、アンチセンスオリゴヌクレオチドの新規作成法、生体分子マイクロアレイ用基板及びその製造方法、並びに生体分子マイクロアレイ、テロメレース活性測定方法、オリゴＤＮＡ、転写制御因子蛋白質とオリゴＤＮＡとの結合の程度を検出する方法、パーソナル遺伝子ライブラリー、デュシェンヌ型筋ジストロフィー治療剤、ＨＣＶＲＮＡに強く結合するオリゴＤＮＡ及びそのようなＤＮＡの簡便な製造方法、標的核酸の定量方法、酵素阻害剤を有効成分とする薬剤、細胞内への物質導入剤及び細胞内への物質導入方法並びに易吸収性薬剤、オリゴＤＮＡプライマー、プラスミド、植物及び植物の製造法、Ｃ型肝炎ウイルスの検査方法およびそれに用いるプライマーセット、核酸と信号プローブの同時等温増幅を用いた核酸の検出方法、アミノカリックスアレーン誘導体とイミンカリックスアレーン誘導体の単分子層に変性されたガラス繊維およびその製造方法と、変性されたガラス繊維にオリゴＤＮＡを固定化したガラス繊維およびその製造方法、ならびにオリゴＤＮＡを固定化したガラス繊維を利用した遺伝子型分析用ストリップ製造方法｛ＭＯＤＩＦＩＥＤＧＬＡＳＳＦＩＢＥＲＳＷＩＴＨＭＯＮＯＬＡＹＥＲＳＯＦＡＭＩＮＯＣＡＬＩＸＡＲＥＮＥＤＥＲＩＶＡＴＩＶＥＳＡＮＤＩＭＩＮＥＣＡＬＩＸＡＲＥＮＥＤＥＲＩＶＡＴＩＶＥＳ、ＡＮＤＯＬＩＧＯ−ＤＮＡＭＯＤＩＦＩＥＤＧＬＡＳＳＦＩＢＥＲＳＢＹＦＩＸＩＮＧＯＬＩＧＯ−ＤＮＡ’ＳＴＯＴＨＥＭＯＮＯＬＡＹＥＲＳ、ＡＮＤＴＨＥＰＲＥＰＡＲＡＴＩＯＮＭＥＴＨＯＤＯＦＧＥＮＯＴＹＰＩＮＧＳＴＲＩＰＳＵＳＩＮＧＴＨＥＯＬＩＧＯ−ＤＮＡＭＯＤＩＦＩＥＤＧＬＡＳＳＦＩＢＥＲＳ｝、光学イメージング剤、光学造影剤、非対称フルオロ置換ポリメチン色、核酸を分析する方法、Ｆｒａｇ１遺伝子又はその遺伝子産物をマーカーとするＤＮＡ損傷の検出方法、特異的塩基配列探索方法、支持体上に固定化した物質を染色体の順あるいは配列位置情報を付加して配列するアレイおよびその製造方法、アレイを用いた解析システム、並びにそれらの利用、ピログルタミルペプチダーゼおよびその遺伝子、ＴＲＡＦファミリー分子、その分子をコードするポリヌクレオチドおよびその分子に対する抗体、マイクロウェルプレート共鳴光散乱粒子標識から発生する信号を読み取るための装置、透明導電膜加工からなる培養容器とその製造方法、中空繊維の検査方法、生理活性物質固定化用固相担体及びその使用方法、ポリジアセチレン超分子体とリガンド検出方法、改善された二部品マイクロウェルプレートおよびその製造方法、ペプチド固定化用固相担体及びその使用方法、マイクロウェルプレート、顕微鏡検査装置と顕微鏡検査システムとマイクロウェルプレート移載装置、多重チャネル及び多層の製薬装置のための光学的マイクロプラグ、磁気分離装置、標的対象物の自動探索回収装置、ゲノムデバイス製造用中空繊維配列体の損傷検知方法、マイクロウェルプレートの製造方法、核内受容体リガンド検出剤、組換えタンパク質、発現用遺伝子、組換えベクター、形質転換体、核内受容体リガンド検出方法、及び、核内受容体リガンド検出キット、液体分配及び処理システム、マイクロウエルプレート及びマイクロウエルプレートを備える蛍光検出装置、基体上に分子厚のコーティングを形成する方法、臨床検査室用の自動分析装置、微小生体関連物質保持用微細構造の複製成形、細菌全細胞を捕捉する方法及び細菌について試料を分析する方法、蛍光発生性ｐＨ感受性色素およびその使用方法、マイクロ流体アッセイを実施するためのチップ及びカートリッジ設計構成、非分離アッセイ方法、蛍光染料、新規な胚様体（ＥＢ）の調製方法およびその使用、被分析物のマイクロ流体的検出、クロージャにリザーバを有する流体容器および使用法、マイコバクテリウム・ツベルクローシス感染症の診断方法と治療方法およびそのための試薬、高スループットオートサンプラー、自動貯蔵・検索取出し装置および方法、標的物質の細胞導入効率を上昇させるための組成物および方法、標的物質の細胞導入効率を上昇させるための組成物および方法、合成遺伝子、核酸増幅、タンパク質アレイ、蛍光参照プレート、植物成長調節物質の高効率スクリーニング方法、ハイスループットの蛍光の検出のためのスキャニング分光光度計、時間分解蛍光用イメージング蛍光計、ハイスループット質量分析法、単一真空源を有する高スループットシステムにおける稀釈、穀類の穀粒における収穫前発芽の検出、熱通過阻止熱サイクル用超薄マルチウェルプレート、シラン化固相表面への非修飾核酸の付着、インテグリンアンタゴニスト／アゴニスト仲介性疾患のリスク評価、固相基質を使用する酵素アッセイ、マイクロウエルプレート、核内受容体に対する結合物質の検出方法、遺伝子導入効率を上昇させるための組成物および方法，指紋スイッチ装置および指紋による使用許諾方法，小型スイッチバネ、人工知能型ロボット玩具およびその制御方法、人工知能型検索エンジンおよび検索システム、複合人工知能装置、人工知能システムと表示システム、人工知能型記憶コンピュータ機能選択快速スタート方法、人工視覚装置、ならびに人工聴覚装置、ならびに波形変換方法、ならびに３次元空間予測認識システム、ならびに人工知能システム、人工知能の構築方法、及び、医学用グリッドコンピュータシステム、及び、生理機能医療装置、人工知能として人格を実現するコンピュータ・プログラムおよび装置、人工知能型発酵製造機及びこれを用いた食品加工方法、人工知能化した加工支援監視方法と人工知能化した加工支援監視システム、運転支援システム、運転支援方法、運転支援プログラム、運転支援システム、運転支援装置、運転支援方法、及び運転支援プログラム、安全運転支援装置、先進運転支援システムアイサイト、運転支援システム、太陽電池によるリチウムイオン電池充電装置、移動体搭載用のリチウムイオン電池充電装置、リチウムイオン電池の容量推定方法およびリチウムイオン電池パック、リチウムイオン電池充電装置、リチウムイオン電池充電方法及びリチウムイオン電池充電装置、電磁推進装置、電磁場による電気推進装置、高速高荷重用タイヤ、高周波超伝導電磁エンジン、飛翔体の離着陸装置、軌道式リニアモーターカー、水素の輸送システム、超伝導電磁エンジン、リニアモーターカー又は高速浮上車両、リニアモーターカー用レールへのリアクションプレートの取付方法、磁気浮上式リニアモーターカー用軌道遊間調整装置、磁気浮上式リニアモーターカー用軌道、コイルアセンブリ、リニアモーターカー用のリアクションプレート、車両用換気装置、磁気浮上レール構造及び施工方法、磁力浮上無重力構造による発電機重、プロペラローター重、同時消減発電システム、連続密素磁極間作用型永久モーター、リニアモーターカー用補助支持輪装置、リニアモーターカー用電磁石装置リニアモーターカーのコイル装置、リニアモーターカー用充電レール、燃料電池と組み合わせる液体水素冷却超電導磁石を搭載するリニアモーターカー、本人の考えている超伝導（超電導）体物質材料の成分系と合成製法とその製造方法、浮上式車両用樹脂ホイール、酸化物超電導線材の接続方法、酸化物超電導コイル装置およびそれを用いた超電導装置、新しい成分系の超伝導体（超電導体）物質のＣｕＣｏＴｉＳＰＣ有機系超伝導体のＣｕＣｏＴｉＳＰＳｅＣｅＳｂＩｎＢｅＭｇＭｎＣ成分による超伝導体物質の合成製法とその製造方法と本発明合成の超伝導体（超電導体）物質のＣｕＣｏＴｉＳＰＳｅＣｅＳｂＩｎＢｅＭｇＭｎＣ成分系超伝導体の成分比とその他元素変更や追加付加そして元素純度変更による応用成分系の新たな転移・臨界温度の性能のある改良のＣｕＭｏＴｉＳＰＳｅＣｅＳｂＩｎＢｅＭｇＭｎＣ成分系超伝導体物質の合成製法とその製造方法取付構造、推進浮上案内兼用方式地上コイル、永久モーター及びその応用モーター、リニアモーターカーの原理を応用した航空機の翼、ＮｂＴｉ超電導多層板の製造方法及びＮｂＴｉ超電導多層板、リニアモーターカー超伝導コイル締結用高強度非磁性鋼、リニアモーターカー用レール上へのリアクションプレートの取付方法、突起付き溝形鋼の製造方法、変動磁場用磁気シールド材料、リニアモーターカーの位相同期制御装置、リニアモーターカーの誘導車及びこれを用いる誘導方式、高速軌道車両における安定装置、リニアモーターカー用デイスクブレーキ廃棄物処理網装置、車両流体力学の方法と冷却装置、リニアモーターカー用コイルパネルの取付装置、磁気回路の分解方法、磁気回路の分解方法、磁気回路高速走行体用の構体、浮上案内コイル口出し間短絡用接続バー、壁面穿孔装置、冷凍装置、リニアモーターカー航空管制塔、クローラー、鉄道ブレーキシステム、リニアモーターカー用連結長さ調整装置、走行路の接続部の製造方法、リニアモーターカー用連結長さ調整装置、回転軸を中心に回転走行ができる電動式ホバークラフト遊具、ホバークラフトにおける推力分岐型安定装置、プロペラ推進式人力ホバークラフト、シーラント組成物並びにそれを用いた圧力容器及びタイヤ、浮遊力発生装置、玩具用部品素材及びその製造方法、ホバークラフトを大型化し飛行翼を取付けた新交通手段、消霧装置、洋上風力発電船、各種竪型全動翼蒸気ガスタービン合体機関、オートマチックトランスミッション、車両運搬装置、自動車用電子広告体及びサーバーシステム、スライド式エンジン支持組立、放射性廃棄物処理装置とその製造方法及びそれによる設置方法、風力発電装置によって走行する大型バス、原子炉運転方法および運転停止後原子炉の放射線レベル低減方法、原子力施設の漏洩監視システム及びその漏洩監視方法、原子炉冷却水系統配管検査方法及び装置、原子炉冷却水浄化系ダンプ水冷却装置、沸騰水型原子炉設備の更新方法および沸騰水型原子炉設備、沸騰水型原子炉、インターナルポンプおよび軽水型原子力プラント一次系配管、タービン系の線量低減方法、受動的原子炉停止機構、原子力プラントの運転方法および原子力プラント並びに原子力プラントの水質制御方法、原子炉冷却水からの放射性核種の除去方法、原子力プラント用ステンレス鋼部材の製造法および原子力プラント、除染方法、原子炉蒸気凝縮ドレン処理設備、沸騰水型原子炉圧力容器の冷却水誘導装置、原子炉一次系の炉水放射能濃度低減方法、原子力発電プラントの放射能低減法、受動接触アンモニア転化器を設けた原子炉、軽水冷却型原子炉、高温水浄化用イオンフィルタ、燃料集合体固定装置、軽水冷却型原子炉、沸騰水型原子炉における水の放射線分解に因る酸素発生の抑制方法および装置、沸騰水型原子炉の水素注入方、原子炉保護装置、原子炉冷却水中の可溶分試験用の濾過兼ｐＨ調整装置、原子炉用インターナルポンプ、サドル形状支持部を備えたスペーサ格子及び対応する核燃料集合体、原子炉冷却水中へのコバルトの遊離を防止する方法、成分を特徴付けるための自動インプロセス比質量分析方法及びその装置、成分を特徴付けるための自動インプロセス比質量分析方法及びその装置、熱障壁及びそれを組み込んだ原子炉冷却材ポンプ、放射性物質の付着抑制方法およびその付着抑制装置、金属イオンの回収方法、端栓、核燃料棒、核燃料棒集合体、振動充填型原子炉燃料棒、原子炉の燃料棒及びその製作方法、耐蝕性の原子炉構成部材、核燃料棒被覆管、水性環境に使用するためのジルコニウム合金、および原子炉燃料集成体用構造部材、高いフルエンスに晒される水性雰囲気中での使用のためのジルコニウム合金、耐食性原子炉要素、構造核燃料集成部材および該合金から構成されている原子炉燃料棒被覆材、摩耗抑制装置及びそれを用いた運搬装置及び直流電動機、原子炉燃料棒及びその防食方法、振動充填型原子炉燃料棒及びその燃料粒子セパレータ、原子炉燃料棒及びそのプレナムスプリング装置、原子炉燃料棒用端栓、核燃料被覆管、原子炉燃料棒の付着物回収装置、核燃料被覆管、原子炉燃料棒の付着物回収装置、原子炉及びその組立方法、並びに原子炉反射体、電気化学腐食ポテンシャル装置及び方法、沸騰水型原子炉の安全解析を実行する方法及びシステム、上部連結プレートのばね押えボルトを検査するための装置と方法、加圧水型原子炉の燃料アセンブリ用スペーサ・グリッド、液体金属炉の安定的な受動残熱除去系、原子炉圧力容器の炉内機器管理方法及びその装置、塩化物イオン捕捉部材および塩化物イオン捕捉封止部材、溶融物の冷却促進装置及び原子炉格納容器、非常用炉心冷却装置及び原子炉設備、原子炉、加圧水型原子炉の冷却水に有機化合物を添加するプロセス、燃料満載ジェット機激突対応原子力船、燃料棒集合体変形抑制器具及び輸送容器、燃料棒集合体変形抑制器具及び輸送容器、軽水炉高温運転状態模擬方法および装置、燃料集合体およびそれを装荷した原子炉、軽水炉高温運転状態模擬方法および装置、燃料集合体およびそれを装荷した原子炉、加圧水型原子力プラント、加圧水型原子炉用燃料集合体上部ノズル、原子炉格納容器用ストレーナ設備及び原子炉格納容器用ストレーナ設備の組立方法、加圧水型原子炉およびそれに用いる燃料集合体、原子炉炉内構造物のねじ部材遠隔締付装置、加圧水型原子炉の格納容器冷却装置、蒸気発生器管台の検査・施工装置、静的冷却減圧系および加圧水型原子力プラント、原子炉格納容器およびそれを用いた原子力プラント、金属製の原子炉構成要素に施工される原子炉環境への腐食生成物を低減するための保護皮膜、円筒型脱塩器、加圧水型原子炉用ＭＯＸ燃料集合体、溶融物の粒状化促進装置及び原子炉格納容器、表面改質方法及び装置、加圧水型原子炉用燃料集合体および燃料集合体の支持グリッド、加圧水型原子炉の炉心の作動パラメータを調整する方法、燃料集合体の多数で間隔が異なる中間流れ混合翼格子、過熱デルタ温度及び過出力デルタ温度の動作マージン回復方法並びにそれを利用する原子炉システム、加圧水型原子炉内のＥＣＰ測定システム及び加圧水型原子炉用ＥＣＰセンサ、水素・電力併産プラント、加圧水型原子炉の燃料集合体及び燃料集合体の設計方法、燃料要素用輸送兼貯蔵容器、原子炉の燃料集合体設計を生成するための方法、装置、及びコンピュータプログラム、水素製造システムおよび水素製造方法、制御棒クラスタの識別方法および前記方法に用いられるスパイダー、原子力発電システム、加圧水型原子炉用燃料集合体上部ノズル、小ＬＯＣＡ安全評価方法、２重管の残留応力の改善方法、原子炉構成材料、原子力発電における原子炉の運転支援方法及び装置、原子炉におけるロッドパターンを開発するための方法及び装置、加圧水型原子炉用加圧器、加圧水型原子炉用ＭＯＸ燃料集合体、冷却水撹拌羽付き加圧水型原子炉用原子燃料集合体、制御棒クラスタ案内管の摩耗評価支援方法、同摩耗進行予測支援方法、同検査支援方法、それらのプログラムおよびシステム、バレルフォーマボルトの保全計画支援システム、同方法、同システムとしてコンピュータを機能させるためのプログラム、および同プログラムが記録されたコンピュータ読取可能な記録媒体、加圧水型原子炉及び付随する高温水環境での腐食、浸食及び応力腐食割れを低減する貴金属触媒、加圧水型原子炉の燃料運用方法及び加圧水型原子炉炉心、原子炉制御棒、加圧水型原子炉用燃料集合体の骨格構造体、原子炉用燃料集合体の下部構造及び燃料集合体用シンブルスクリュー、バッフルフォーマボルトの保全計画支援システム、同方法、同システムとしてコンピュータを機能させるためのプログラム、および同プログラムが記録されたコンピュータ読取可能な記録媒体、子炉炉内構造物のねじ部材遠隔締付装置、加圧水型原子炉用燃料集合体、一体型ロック部材を備えたボルト、放射線誘導成長指示装置、原子力熱利用システム、放射性汚染物の磁気揺動除染方法とその装置、原子炉用制御棒及び制御棒クラスタ、電力系統負荷を監視及び選択的に制御する方法及び装置、ＨＤを超える解像度の映像を多視点映像符号化規格で符号化する方法および装置ならびに復号する方法および装置、レガシーアプリケーション用にコミュニティ検査済みセキュリティ機能を有効化するため方法およびシステム、プラットフォームの高速リスタートを可能にする方法およびシステム、割り込みポストトランザクションに対する保留メカニズム、より高いピクチャレートの圧縮ＨＤ映像を、Ｈ．２６４規格を用いるレガシーＨＤ映像デコーダでの復号に対応可能な、より低いピクチャレートの圧縮映像に変換する方法および装置、レガシーマイグレーション支援システム、タービン制御システムを変更するための方法及びシステム、情報処理装置およびレガシーエミュレーション処理停止制御方法、コンテンツ変換システム、ディジタル伝送システム、アドレススペースエミュレーション、多重化装置及びレガシーデバイス多重化方法レガシー・ネットワーク内でホーム加入者サーバ（ＨＳＳ）とホーム・ロケーション・レジスタ（ＨＬＲ）間の対話を容易にする方法および装置、レガシー・アプリケーションの高速ＧＵＩ体裁更新、半導体レーザによる超薄板溶接方法とその半導体レーザによる超高速レーザ微細接合装置、半導体封止用樹脂組成物およびその製法、ならびにそれを用いた半導体装置、半導体記憶装置、物流管理システム、物流管理システムに用いられる小型半導体、出荷者用情報処理装置、中間者用情報処理装置、受領者用情報処理装置、サーバ、小型半導体用リーダ、及び小型半導体用リーダライタ、並びに物流管理方法、超小型半導体装置およびその製造方法、半導体イオンセンサ、半導体発光素子、アクチュエ−タ、受放熱構造体、チップタイプの小型半導体装置、小型半導体の実装構造および小型半導体装置、高速Ｘ線ＣＴによる被写移動体速度及び高解像度情報の計測方法及びその装置、ＴＡＢテープ及びこれを用いた半導体装置、半導体装置用ワイヤ、半導体装置及びそれを備えた回路モジュール、小型半導体プラスチックパッケージ、半導体装置の製造方法、半導体装置用導電性板および半導体装置、小型半導体レーザ励起固体レーザ装置、手振れおよび移動プラットフォームの動きに対するライフル安定化システム、半導体パッケージ用チップ支持基板、小型半導体デバイス及び小型赤外線センサ、小型半導体デバイスのテスト用接触器、蛍光標識用色素、蛍光標識用色素で標識された生物由来物質、及びそれらを含有する試薬、樹脂封止型半導体装置、携帯プレーヤーと無線マウスを一体化した小型電子機器。（携帯プレーヤーとは、記憶媒体に半導体メモリーやハードディスク駆動装置等を搭載し、音楽データを圧縮して記憶する方法としてはＭＰ３やＷＭＡ等を採用したハンディタイプのオーディオプレーヤーを指す。）、センサ感知軸線の移動用小型パッケージ、超小型電気機械システム素子の位置検出、磁石を備えた小型電機部品と同部品の製法及び同部品を用いた電気機械、低電力消費の電力制御回路、フレキシブルコントローラーを結合したスイッチ組み立てセットとその電機製品上での応用、沸騰水型原子力発電所、各種エネルギ保存サイクル合体機関、水の圧力で水車を回転させ電気を作る仕組、波動水力発生器、波動水力を利用する機器、その波動水力利用方法及びそのシステム、ガスハイドレートのガス化方法およびガス化装置、電力供給システムにおけるエネルギー損失低減方法及び電力供給システム、各種ロケット合体機関、磁束制御型風力発電機、タービン及び特にペルトン水車タービンの改良、風力発電設備、その運転方法および記録媒体、波力潮力発電装置、自動車エンジンの発電装置及び発電方法、自動車エンジンの冷却水を利用する発電装置及び発電方法、自動車用タービンハウジングの試験装置、熱エネルギーを動力に変換する方法、圧縮空気発生用圧縮機、水力発電所の水車タービン、ビルダム式発電システム、電気コネクタ、内燃機関の排気浄化装置、内燃エンジンの改善された排気制御のためのシステム、内燃機関の排気浄化システム、内燃エンジンの改善された排気制御のためのシステムおよび方法、内燃機関の排気燃料添加制御装置、内燃機関の排気浄化装置、排気浄化装置、光ディスク装置における評価、調整方法、及び光ディスク装置、内燃機関の排気浄化装置の制御装置、内燃機関の排気浄化装置、内燃機関の排気浄化装置及び排気浄化用の触媒の熱劣化推定方法、ガス燃料エンジンの冷却制御装置、ガス燃料エンジンシステム、ブレーキディスク、内燃機関の排気浄化装置における圧力検出機構、自動車車体の複層塗膜形成方法及び自動車車体薄膜半導体装置、テレビ電話ネットワークにおける呼設定、回線交換移動通信網の性能分析、水道水取込用のスプリンクラーヘッド用分岐継手及びスプリンクラー設備、水道接続用スプリンクラー設備、水処理プロセスの支援システム、下水道設備の水質制御装置、給水・排水設備の監視システム、下水道設備の水質制御装置水使用状況監視システム、上下水道維持管理システム及びコンピュータ・ソフトウエア、下水道設備の運用装置及びその運用方法、上下水道量管理システム、水道管の凍結防止装置、浄水装置管理システム、メータボックスと水道設備、下水道敷設設計支援システム及び記録媒体、下水道設備の水質制御装置、漏水監視装置、水道事業支援システム、水質管理システム、ポンプ制御方法、水道事業支援システム、循環式貯水、水の利用のための制御または監視制御基盤、水道制御システムのためのネットワ−クソフトウェア、ハンギングバスケットフラワー潅水用複合タンク、中水製造システム、送水流量制御方式、非常用飲料水タンク及びその使用方法、貯水装置、下水道設備用可撓型ゴム輪受口、空気圧送水．水圧送水．による貯水タンク、給水装置、非常水備蓄タンク、ガソリン組成物、ガソリン種類識別装置、ガソリンの液種識別装置およびガソリンの液種識別方法、ベンゼンを含む石油製品の水素還元・異性化方法、ガソリン性状判別装置、ガソリンの製造方法、携帯用人工呼吸器の人命救助ナビゲーション装置、酸素供給機能付き緊急用及び携帯用人工呼吸器、エアウェイアダプタ、呼吸気濃度センサ、および呼吸気流量センサ、人工呼吸器用圧力調節装置およびこのような圧力調節装置を用いた人工呼吸器、人工呼吸器のバックアップ速度を変化させるための方法および装置、差込プラグの緩み抜け判定装置、その判定方法、無停電電源装置、および人工呼吸器、人工呼吸器、呼気ガスの処理装置、非侵襲的人工呼吸マスクの穴、流量センサ、人工呼吸器用圧力調節装置およびこのような圧力調節装置を用いた人工呼吸器、体積流量制御器、人工呼吸器回路内の相対湿度を検出するためのデバイス、患者の圧補助換気、チタンアルミナイド合金とその加工方法、チタンアルミナイド合金から製造される構造部品、ケース内にＨＭＥ（熱湿度交換器）を装備したフィルタを通るガスの流れにおける、流れに対する危険な抵抗を検出するための装置、人工呼吸器用流量計、呼吸器アセンブリ、チューブ類固定用具、被験者の呼吸器官の生体力学的動作を監視し、生体力学的動作に基づいて人工呼吸器を制御する装置、吸痰管駆動装置及び吸痰装置、肺のコンプライアンス推定装置および推定方法、推定装置を備える人工呼吸器、ガス供給機構の制御方法および制御装置、加湿器、回転コネクタ、心蘇生術における胸部圧迫および換気の同期、マスク性能測定装置、気管切開チューブ、抜管検知装置、気管内痰の吸引装置、肺人工呼吸器制御方法および肺人工呼吸器制御装置、酸素濃縮装置およびその制御方法、呼吸回路用の多内腔近位コネクター、取り付け具、呼吸導管及び近位端子、心房細動モデル動物の作製方法、心房細動を誘発させる方法及び心房細動を誘発させた動物を用いた心房細動抑制剤の評価方法、人工呼吸装置及び人工呼吸装置システム、携帯用人工呼吸器、気道内圧異常上昇防止法と装置、小動物用人工呼吸器、人工呼吸器用呼吸回路の保持装置、患者看護拠点コンピュータシステム、人工呼吸器を制御する制御方法および制御装置、人工呼吸器用空気ポンプ、医療用人工呼吸器、人工呼吸器用気体圧送ポンプ及びそれに用いられるブラシレスモータ、人工呼吸吸引両用アダプタ及び自動吸引装置、気道内の痰の吸引装置、分離肺換気専用コネクターとその使用方法、焼結機、電子水の燃焼方法、石油化学製品廃棄物の油化装置、ガス漏洩検知装置、燃料ガスの漏洩検知法、ガス使用量計量システム及びガスメータ、燃料溶解式燃料電池、ガス化発電システム、還元有機物分解装置、ボイラの運転方法、ガスタンク及びその製造方法、火力発電施設のガス供給装置、ガスエンジン及びガスエンジン発電機、異種ガス燃料切り換え調圧装置、水素透過膜、水素センサおよび水素の検知方法、ガスセンサの評価方法及びガスセンサの評価装置、ガスタービン装置およびガスタービン発電システム、地域局在型水素供給・管理システム、ガスタービン装置およびガスタービン発電システム、燃料電池システム及びその運転方法、真空成膜装置および薄膜形成方法、水中発電装置、圧力負荷装置を有する天秤使用の重力発電装置と連結するハイブリット発電装置、散水装置、半永久浮力発電と蒸気発電、水力発電装置、流体装置およびポンプ装置、波を捉え海水を揚水する装置、取水ゲート自動制御システム、液化ガス貯蔵システム、振り子式発電方法振り子によって動く圧電素子による発電方法、風水力発電設備、水力発電システム付き複数階層建築物、燃料ガスの燃焼熱を利用して揚水し、余剰供給エネルギーを発電電力として回収する揚水装置、その揚水方法及び揚水システム、水系発電出力算出装置および水系発電出力算出プログラム、水力発電機絶縁回復装置、河川浄化式水力発電装置、電磁場処理装置、自動飲料供給装置、加湿装置、切削油供給装置、パッケージの製造方法、圧電振動子の製造方法、圧電振動子、発振器、電子機器および電波時計、圧電振動子、圧電振動子の製造方法、発振器、電子機器および電波時計、電力計測装置、接合ガラスの切断方法、パッケージの製造方法、パッケージ、圧電振動子、発振器、電子機器及び電波時計、同期再生方法、他再生端末選択領域映像再生方法、同期再生停止方法、同期再生システムおよびプログラム、圧電振動子、圧電振動子の製造方法、発振器、電子機器および電波時計、電波受信装置および電波時計、インダクタンス素子とその製造方法、駐車場管理システムおよび駐車料金精算機、日本標準時（標準電波）を基準とする商用発電電力の質の安定性の確保、孔曲がり計測装置、電波時計、タイムコード判別装置および電波時計、コンセント装置、圧電振動片の製造方法及び圧電振動片、圧電振動子、発振器、電子機器並びに電波時計、封止缶の製造方法及び圧電振動子、発振器、電子機器、並びに電波時計、アンテナ及びこれを用いた電波時計、キーレスエントリーシステム、ＲＦＩＤシステム、時刻情報受信装置、電波時計およびプログラム、アンテナ装置、受信装置および電波時計、時刻情報取得装置および電波時計、磁気コアおよび磁気コアの製造方法、タイムコード判別装置および電波時計、電波受信装置および電波時計、電波受信装置および電波時計、太陽追尾装置、キャリア、ウエハ研磨装置、ウエハ研磨方法、圧電振動子の製造方法、圧電振動子、発振器、電子機器及び電波時計、ウエハ研磨装置、ウエハ研磨方法、圧電振動子の製造方法、圧電振動子、発振器、電子機器及び電波時計、燃料満載ジェット機激突対応原子力船、丸太処理方法および装置、船舶の緩衝装置、洋上風力発電船、液化水素供給設備及び液化水素供給用のタンクローリー、液体貯蔵タンクの内圧検知システム、液化天然ガスサテライト設備、液化天然ガス受入システム及び受入方法、固体内部伝播漏洩振動検出センサー、メタン発酵利用の分散型エネルギー供給システム、メタン発酵利用の分散型エネルギー供給システム、光ファイバを用いた石油製品の検出装置、可燃物積載車点検用墜落防止装置、ガス発生設備及びその運転方法、ハロゲン化銀写真用処理剤の供給方法、液体燃料タンクの梯子、無線による重機遠隔操作システム、植栽型浸透トレンチ、転炉ダストの処理方法、建設機械のアーム駆動用制御装置、空調装置、草刈装置、振動式杭打抜機およびその構成方法、並びに振動式杭打抜工法、移動式コンベア用ホッパーへの搬送材投入用移動式橋台、加熱炉内スケール排出装置、振動杭打抜工法および振動杭打抜装置、極難燃性絶縁材、土壁傾斜面形成方法並びに土壁傾斜面形成時に使用する滑落土受け止め装置、バッテリ駆動の作業機械、積載車両搭載用破砕機、高さを制限された作業空間における杭の打ち込み，引き抜き工法、無人車両制御方法および装置、コンクリート塊及び土石等の分離用バケット、ショベル取付用アタッチメント、軟弱地盤改良用固化材散布方法およびその装置、パワーショベルカー用アタッチメント、油圧ショベルカーのスイング装置、作業車両のスパンナ装置、軽比重バラ積貨物の荷揚げ方法及び装置、自動車特に建設用走行車の駆動装置、埋め戻し装置、油圧ショベルカーのアームに取付ける挟持解体装置、水陸両用ショベルカー、ショベルカー先端装着用樹木株切取アタッチメント、機能性シート、加湿エレメントおよび加湿装置、吸着材を利用した改良型太陽電池モジュール、吸油吸水マット、吸水材、緑化保水材、緑化基盤構造及び緑化基盤システム、透水性ブロック、給水板を備えた植木鉢用給水装置及びその給水方法、高温ナトリウム二次電池装置、クールマット、吸水方法および吸水装置、傘の水切り機、吸水性タフテッドカーペット、抗菌性吸水剤組成物およびその製造法、抗菌性を有する吸水シート、公衆電話機能を備えた広告表示装置、巡回監視の通信支援システムおよび情報ステーション、自動改札機による情報提供システム及び自動改札機、列車乗車番線情報提供システム、装置及びプログラム、牽制サーマル用紙を使った定期券の印刷発行方法、自動車運転者居眠り防止装置、ＬＥＤ一灯型、交通信号機、交通情報提供システム及び地域交通情報提供方法、照明装置および表示装置、発光装置、交通信号制御装置、プログラム及び方法、交通信号機システム、発光素子実装用基板、発光素子モジュール、照明装置、表示装置及び交通信号機、ナビゲーション装置、運転支援装置、信号機状態告知方法及びプログラム、並びに、運転支援方法及びプログラム、交通信号制御装置及び方法、交通信号制御システム、交通信号制御装置、車載装置及び交通信号制御方法、光通信装置、交通信号機制御システム，信号機制御装置，交通信号機制御方法およびプログラム、発光ダイオード光源装置とその製造方法、照明装置、表示装置及び交通信号機、ナビゲーション装置、人工視覚装置、交通管理システム、発光素子実装用ホーロー基板、発光素子モジュール、照明装置、表示装置及び交通信号機、信号機システム、炉心スプレイ系配管の補強装置および補強方法、炉心溶融物保持装置および格納容器、炉心溶融物保持装置および原子力プラント、炉心溶融物冷却装置および炉心溶融物冷却方法、炉心溶融物保持装置および原子炉格納容器、炉心溶融物冷却装置、炉心溶融物冷却装置および原子炉格納容器、炉心溶融物保持装置および格納容器、ウランにより放射能汚染された金属部分の再処理方法、二酸化ウラン造粒体の製造方法、燃料集合体、沸騰水型原子炉用燃料集合体及びそれを用いた炉心、磁性材料及びウランの用法、原子炉用炉心、電気圧力鍋、圧力鍋、フェライト多孔体及びその製造方法並びに電波吸収体、加熱調理器、電気圧力調理器、電磁誘導加熱式圧力鍋、誘導加熱調理器、電気圧力調理器、圧力鍋調理装置、圧力鍋用蓋、蒸気圧力鍋、レバーサーボ機構を備えた圧力鍋用開閉システム、圧力鍋の蓋の固定／安全装置、安全調圧弁、圧力調理器具用機能拡張装置、圧力鍋の圧力調整装置、小容量レトルト殺菌装置、ポータブルオーディオシステム、音声通訳システムおよび音声通訳方法、音楽処方による便秘解消機、風雑音低減体、ボイスレコーダー付き携帯電話、飼育動物の声質または声量識別センサー付しつけ用「テープレコーダー」、ＩＣレコーダー、ＭＤ、ブロードバンド電話によるカウンセリング及び著名人との間接相互交流の仲介業、痴漢撃退装置、健康状態申告ボード、音声漏洩防止器、拡声器との連結用接続具付き電気コード類、高圧用配管閉止治具、管厚測定装置、滑走路の誘導灯洗浄装置、医用情報提供システム、送信端末、受信端末、配信端末および仲介端末、放射線画像表示装置、方法及びプログラム、症例画像検索装置、方法およびプログラム、腫瘍の経過観察レポート自動作成診断支援システム、超音波映像と外部医療映像との合成映像をディスプレイする超音波システム、管状組織低侵襲屈曲切除誘導方法およびその装置、可視化断面を有する３次元物体が記録された計算機ホログラム、ホログラフィックステレオグラムの作成方法及び可視化断面を有する３次元物体が記録された計算機ホログラム、ホログラフィックステレオグラム、画像表示システムおよび表示用端末並びに断層画像管理装置、携帯通信端末を用いた医療画像情報の通信システム、臨床検査システム、医療用モニタシステムとコンピュータプログラム、生体硬組織の無機メッシュワーク構造を模倣した骨代替物、光ポイントの照射による医療用ナビゲーションシステムにおける患者または患者の身体部分の参照または記録、医用画像表示方法および医用画像表示装置、断層画像生成方法、Ｘ線ＣＴ画像生成方法およびＸ線ＣＴ装置、医用情報提供方法、医用情報提供システム、送信端末、受信端末、仲介端末、配信端末および記憶媒体、メディカルプロセスシステム、医療画像処理方法、医療画像伝送方法、医療画像処理装置、医療画像送信装置、および医療画像伝送装置、画像記録再生装置、画像データ管理装置、医用画像診断装置、二重画像化および放射線化学療法のためのコンジュゲート：組成物、製造および適応、ＲＴＰ用の改良されたデータ表現、異なる空間の間の３次元画像セットの最適変換、撮像パラメタを計画するための方法及びシステム、ＧＬＰ−１およびエキセンディンに関する発明、電磁ヒアリングデバイスのための改善された送信機および変換機、分類プロセスへの空間的知見の組込み、集中化された測定値データベースを構築して操作するためのシステム及び方法、患者を取り扱うアセンブリを用いるマルチモダリティ医療撮像システム及び方法、患者のアクセスエリアを備えるマルチモダリティ撮像システム、医療診断ならびに医療誘導インターベンションおよび治療のための装置および方法、画像データを処理し、表示するためのユーザインタフェース、医療用体内誘導装置、自動形状特徴付けのための方法および装置、位置決め装置、ＣＴ撮影時に用いる膵臓検査装置、セットアップ型小型ガスカセットコンロ、残存ガス計量器、乗用車用簡易キッチンユニット、携帯型給湯器、携帯型湯沸し器、焙煎機、調理器具用照明装置、カセットガスコンロ用フェンス、カセットガスコンロ、洗濯装置、ドラム式洗濯機、全自動洗濯機、全自動洗濯機対応水道給水栓蛇口直結式オゾン水生成器、分子検出装置を用いた洗浄装置、乾燥機能付き洗濯機、全自動洗濯機の漏水検知および排水停止機構、洗濯機の給水装置、全自動洗濯機の偏心および布飛び出し検知装置、荷重検出機能付ダンパ、給気口付きお湯取りホース、高耐食高耐磨耗性アルミニウム材及びその表面処理方法、全自動洗濯機の節水システム、超音波洗浄装置、クロカビの発生を防止した電気自動洗濯機、洗濯機水槽内のカビ防止装置、操作部を有する電気装置、洗濯機内乾燥装置、全自動洗濯機及び全自動洗濯乾燥機、ブラシレスモータの回転数制御方法及びこれを用いた洗濯機、洗濯機のインバータ装置及び洗濯乾燥機のインバータ装置、ブラシレスモータの制御装置及びこれを具えた自動洗濯機、対話型仮想ロボットシステムによるホームオートメーション、給水、給湯自動切替洗濯機、電気機器の遠隔操作システム、電気機器の遠隔操作方法、電気機器、電気機器管理サーバ、電気機器の故障情報収集システム及び電気機器の故障対応システム、電磁式給水弁、ステルス船、特定エリアの位置登録方法および位置登録装置、高速鉄道車両用台車の軸箱支持装置、車両内監視装置、新幹線列車の判定装置、定期券発券装置、プレゼンス情報取得／送信／出力装置、乗継システム、乗継方法、および無線式カード媒体処理装置、車両用空調装置の加湿装置、トロリ線摩耗量測定光学系およびトロリ線摩耗量測定装置、高速鉄道車両のパンタグラフ遮音板昇降装置、各種乗り物の内外における画像のＩ．Ｔ管理システム、交流き電電圧補償システムの制御装置、無記名式ＩＣカード乗車券購入システム、情報通知機能付き乗車券システム、電気車の電源回路方式及びき電システム、時刻表通知機能を備えた移動通信システム、新幹線用の電源設備、走行車両の座席管理システム、無線通信システム、板状体の加力装置、車両用換気装置、鉄道車両用軌間可変台車の軌間変更ロック解除装置、高速車両の排障装置、トロリ線支持金具取付角度測定装置、円運動ユニバーサルジョイントが挙げられる。